(57)【要約】【課題】  足裏刺激に効果的な部位のみに特化して短時間に効率的なマッサージ機を提供する。【解決手段】  施療者Ｍの足先２の裏側２ａ及び土踏まず３の２カ所と想定される部位のみに対向する位置に、施療者Ｍの一般的な足裏表面５への圧接力より高い圧接力の生じ得る施療用の凸部６，７を有するローラ体９，１０がそれぞれ配設されてなり、該ローラ体９，１０は、駆動装置により所定方向に回転駆動可能とした。【選択図】      図２５
2005087310.tif 000002
【特許請求の範囲】
【請求項１】
施療者の足先の裏側及び土踏まずの２カ所と想定される部位のみに対向する位置に、施療者の一般的な足裏表面への圧接力より高い圧接力の生じ得る施療用の凸部を有するローラ体がそれぞれ配設されてなり、
該ローラ体は、駆動装置により所定方向に回転駆動可能なることを特徴とするマッサージ機。
【請求項２】
施療者の足先の裏側及び土踏まず並びにかかとの３カ所と想定される部位のみに対向する位置に、施療者の一般的な足裏表面への圧接力より高い圧接力の生じ得る施療用の凸部を有するローラ体がそれぞれ配設されてなり、
該ローラ体は、駆動装置により所定方向に回転駆動可能なることを特徴とするマッサージ機。
【請求項３】
請求項１又は請求項２に記載のマッサージ機であって、
最も近い位置に配設されてなる前記ローラ体同士は、回転方向を互いに相反する方向に回転可能なることを特徴とするマッサージ機。
【請求項４】
請求項１乃至請求項３の何れか１項に記載のマッサージ機であって、
前記ローラ体に配設されてなる施療用の凸部は、前記ローラ体の外表面に配設され且つローラ体に対して回転自在に軸支されてなることを特徴とするマッサージ機。
【請求項５】
請求項１乃至請求項４の何れか１項に記載のマッサージ機であって、
前記ローラ体の回転軸は、同一高さにあり且つ施療者の土踏まずと想定される部位のみに対向する位置に配されてなる土踏まず施療用のローラ体の凸部の駆動軌跡が施療者の土踏まずと想定される部位以外に対向する位置に配されてなる施療用のローラ体の凸部の足裏施療用駆動軌跡よりも施療部に対してより接近させてなることを特徴とするマッサージ機。
【発明の詳細な説明】
【技術分野】
【０００１】
この発明は、施療者の足の裏に刺激を与え得るマッサージ機に関するものである。
【背景技術】
【０００２】
従来のマッサージ機としては、足裏を刺激するために外周部分が鋭角に尖った、例えば１０ミリメートルから１５ミリメートルの円盤形状の硬質材料よりなる施療子を回転軸によって複数保持してなり、特殊形状部材によって回転軸の回転運動の軌跡を決定しているものがある。つまり、１本の回転軸に取付けられた複数の施療子は、施療子列をなし、複数の施療子列は特殊形状部材の外周形状を断面とする筒状の施療子群をなす。回転軸は特殊形状部材の外周に沿って移動し、特殊形状部材の外周形状を軌跡とする回転運動を行う。従って、特殊形状部材の外周部を施療者の足首の付け根のくびれ部分や土踏まずに合う形状をしていれば、マッサージ機の上に足をのせると、指の付け根のくびれ部分や土踏まずまで足裏全体をまんべんなく刺激できることになる（例えば特許文献１。）。
【特許文献１】特開平１０−３１４２５４号公報(図８乃至１２)
【発明の開示】
【発明が解決しようとする課題】
【０００３】
しかしながら、かかる従来技術は、特殊形状部材により足裏全体をまんべんなく刺激することが目的であるから、足裏刺激で効果的でない足裏の部分も併せて刺激することになり、刺激のための駆動時間が長いものとならざるを得ない。
【０００４】
そこで、この発明は、このような従来の技術に着目してなされたものであり、足裏刺激に効果的な部位のみに特化して短時間に効率的なマッサージ機を提供するものである。
【課題を解決するための手段】
【０００５】
請求項１に記載の発明は、施療者の足先の裏側及び土踏まずの２カ所と想定される部位のみに対向する位置に、施療者の一般的な足裏表面への圧接力より高い圧接力の生じ得る施療用の凸部を有するローラ体がそれぞれ配設されてなり、該ローラ体は、駆動装置により所定方向に回転駆動可能なることを特徴とする。
【０００６】
請求項２に記載の発明は、施療者の足先の裏側及び土踏まず並びにかかとの３カ所と想定される部位のみに対向する位置に、施療者の一般的な足裏表面への圧接力より高い圧接力の生じ得る施療用の凸部を有するローラ体がそれぞれ配設されてなり、該ローラ体は、駆動装置により所定方向に回転駆動可能なることを特徴とする。
【０００７】
請求項３に記載の発明は、請求項１又は請求項２に記載のマッサージ機であって、最も近い位置に配設されてなる前記ローラ体同士は、回転方向を互いに相反する方向に回転可能なることを特徴とする。
【０００８】
請求項４に記載の発明は、請求項１乃至請求項３の何れか１項に記載のマッサージ機であって、前記ローラ体に配設されてなる施療用の凸部は、前記ローラ体の外表面に配設され且つローラ体に対して回転自在に軸支されてなることを特徴とする。
【０００９】
請求項５に記載の発明は、請求項１乃至請求項４の何れか１項に記載のマッサージ機であって、前記ローラ体の回転軸は、同一高さにあり且つ施療者の土踏まずと想定される部位のみに対向する位置に配されてなる土踏まず施療用のローラ体の凸部の駆動軌跡が施療者の土踏まずと想定される部位以外に対向する位置に配されてなる施療用のローラ体の凸部の足裏施療用駆動軌跡よりも施療部に対してより接近させてなることを特徴とする。
【発明の効果】
【００１０】
請求項１に記載の発明によれば、施療者の足先の裏側及び土踏まずの２カ所と想定される部位のみに対向する位置に、施療者の一般的な足裏表面への圧接力より高い圧接力の生じ得る施療用の凸部を有するローラ体がそれぞれ配設されてなるので、足裏刺激に効果的な部位である足先の裏側及び土踏まずの２カ所のみに特化して短時間に効率的な刺激をあたえることができる。
【００１１】
請求項２に記載の発明によれば、施療者の足先の裏側及び土踏まず並びにかかとの３カ所と想定される部位のみに対向する位置に、施療者の一般的な足裏表面への圧接力より高い圧接力の生じ得る施療用の凸部を有するローラ体がそれぞれ配設されてなるので、足裏刺激に効果的な部位である足先の裏側及び土踏まず並びにかかとの３カ所のみに特化して短時間に効率的な刺激をあたえることができる。
【００１２】
請求項３に記載の発明によれば、最も近い位置に配設されてなる前記ローラ体同士は、回転方向を互いに相反する方向に回転が可能なので、足がローラ体によって移動させられることがなく、足裏のマッサージがし易くなる。
【００１３】
請求項４に記載の発明によれば、ローラ体に配設されてなる施療用の凸部は、前記ローラ体の外表面に配設され且つローラ体に対して回転自在に軸支されてなるから、足との摩擦が著しく減少し、足がローラ体によって移動させられることがなくなる。つまり、より足裏のマッサージがし易くなる。
【００１４】
請求項５に記載の発明によれば、前記ローラ体の回転軸は、同一高さにあり且つ施療者の土踏まずと想定される部位のみに対向する位置に配されてなる土踏まず施療用のローラ体の凸部の駆動軌跡が施療者の土踏まずと想定される部位以外に対向する位置に配されてなる施療用のローラ体の凸部の足裏施療用駆動軌跡よりも施療部に対してより接近させてなることを特徴とするので、土踏まず施療用ローラ体が他の施療用ローラ体より直径が大となることで周速度が速くなり、マッサージ感が土踏まずと他の部位とで異なる変化感を施療者に与えることができる。また、土踏まずを施療していることを施療者が自覚しやすくなる。
【発明を実施するための最良の形態】
【００１５】
足裏刺激に効果的な部位のみに特化して短時間に効率的なマッサージ機を提供するという目的を、施療者の足先の裏側及び土踏まずの２カ所と想定される部位のみに対向する位置に、施療者の一般的な足裏表面への圧接力より高い圧接力の生じ得る施療用の凸部を有するローラ体がそれぞれ配設されてなり、該ローラ体は、駆動装置により所定方向に回転駆動可能なることにより、実現した。
【実施例１】
【００１６】
図１乃至図２５は、この発明の第１実施例を示す図である。図１の符号１は、マッサージ機で、該マッサージ機１は、モータ１８の回転駆動力をウオームである回転軸１９とヘリカルギア２０，２１，２２の減速装置１７を介して従動する駆動軸１２，１３，１４に、図２５の施療者Ｍの足裏である足先２の裏側２ａ及び土踏まず３並びにかかと４の３カ所と想定される部位のみに対向する位置に、施療者Ｍの一般的な足裏５への圧接力より高い圧接力の生じ得る施療用の凸部６、７，８を有するローラ体９，１０，１１がそれぞれ配設されてなり、該ローラ体９，１０，１１は、駆動軸１２，１３，１４により所定方向に回転駆動可能である。
【００１７】
前記凸部６、７，８及びローラ体９，１０，１１は、共用品である。前記足先２の裏側２ａ及び土踏まず３に対向する２個のローラ体９，１０の近傍には、該ローラ体９，１０を挟むように一対の揉み施療子１５，１６が取付けられている。該揉み施療子１５，１６は、ローラ体９，１０，１１に沿った形状とし、駆動軸１２，１３，１４の回転によって接近離間動作を行うように設けられている為、施療者Ｍの足裏である足先２の裏側２ａ及び土踏まず３並びにかかと４の３カ所と想定される部位に対して多方向からの挟み揉み、押圧を行うことができる。以上のローラ体９，１０，１１及び揉み施療子１５，１６が左右に一定の間隔をあけて対称形状で配設されてなることで、両足の同時施療を可能としている。
【００１８】
前記揉み施療子１５，１６は、図１乃至図７に示すように、駆動軸１２，１３に対して回転方向及び軸方向共に固定された左右対称の揉み基台４５、４６と、該揉み基台４５、４６の外周に駆動軸１２，１３に対して傾斜するように挿入され且つベアリング５４により軸方向に固定された揉み板５２，５３と、該揉み板５２，５３の上端部に形成されてなる押さえ板部４７、４８とより構成される。なお、押さえ板部４７，４８は、施療者Ｍの足先２側の甲部にまで施療するように揉み板５２，５３に対して断面略Ｌ字状をなし、足首側のガイド部４９は被施療部の足首に沿った形状に形成されており、適度の弾性を有している。前記一対の押さえ板部４７，４８の被施療者の足側には、対向面に弾性体５０が取付けられており、その弾性体５０と押さえ板部４７，４８との間には、膨張可能な図示しないエアバッグが取付けてある。該エアバッグには、給排気可能なエア供給源がホース５１にて配管されており、その途中に一定圧以上の圧力が生じた場合、排気するようにした安全用機械式弁が設けられている。符号５５は、ベアリング５４の押さえ板、同５６は揉み板５２，５３を揉み基台４５，４６に支持させる押さえ板である。
【００１９】
前記減速装置１７は、図２４に示すように、図示しないギアケースに固定されたモータ１８の回転軸１９にウオームが形成され、この回転軸１９のウオームに噛み合い従動するヘリカルギア２０に回転が減速伝達される。減速手段は、どのような手段でも良い。このヘリカルギア２０に噛み合い従動し、同減速比のヘリカルギア２１，２２がヘリカルギア２０を土踏まず３と想定される部位のみに対向すると、施療者Ｍの足裏である足先２の裏側２ａ及びかかと４に対向する位置に配置されている。また、ヘリカルギア２０のみ他のヘリカルギア２１，２２よりも軸心が高く（揉み施療子１５，１６に近い）させている。ヘリカルギア２１，２２の回転方向は、適宜の手段によりヘリカルギア２０の回転方向と相反している。該ヘリカルギア２０、２１，２２は、ベアリング２３によって回転自在に軸支されて、ギアケース２４、２５を貫通した駆動軸１２，１３，１４の中央に回転方向、軸方向共に固定されていることで、各駆動軸１２，１３，１４は、各ヘリカルギア２０，２１，２２の回転に従動回転することになる。符号２６は、モータ１８などを収納したケースである。
【００２０】
各駆動軸１２，１３，１４には、ギアケース２４、２５を挟んで、適宜間隔（両足を自然に置いた時の肩幅程度の間隔）を空けて、ローラ体９，１０，１１が回転方向、軸方向共に固定されており、ローラ体９，１０，１１は、各駆動軸１２，１３，１４に従動回転するようになっている。前記ローラ体９とローラ体１０とは、最も近い位置に配設されてなる関係にあり、前記ローラ体９が前側に回転するのに対し、前記ローラ１０は後側に回転する、というように、回転方向を互いに相反する方向に回転可能である。従って、前記ローラ体１１は、前側に回転する。前記ローラ体９，１０，１１に配設されてなる施療用の凸部６、７，８は、前記ローラ体９，１０，１１の外表面に配設され且つローラ体９，１０，１１に対して回転自在に軸支されてなる。
【００２１】
前記ローラ体９，１１の回転軸１２，１４は、図２５に示すように、同一高さにあり且つ施療者Ｍの土踏まず３と想定される部位のみに対向する位置に配されてなる土踏まず施療用のローラ体１０の凸部７の駆動軌跡が施療者Ｍの土踏まず３と想定される部位以外の施療者Ｍの一般的な足裏表面５に対向する位置に配されてなる施療用のローラ体９，１１の凸部６，８の足裏施療用駆動軌跡よりも、図２３に示すように、施療部である土踏まず３と想定される部位に対してより接近させてなるように、回転軸１３を持ち上げている。
【００２２】
施療者Ｍの足先２の裏側２ａと想定される部位のみに対向する位置に、施療者Ｍの凸部６を有するローラ体９について、次に、より詳細に説明する。
【００２３】
前記ローラ体９は、図１２乃至図１５に示すように、円筒状をなすと共に離間して配される本体３０、３０と、該本体３０、３０の間に回転自在に軸支されてなる六ヶ所の凸部６とより構成されてなる。該凸部６は、前記本体３０，３０間に架設されてなる６本のロッド３１と、各ロッド３１ごとに回転自在に軸支されてなる前記第１，第２ころ３２，３３とよりなる。第１ころ３２は、左右方向の真ん中が凹む凹部３２ａと、同じ直径に形成されてなる左右端部３２ｂ，３２ｂとよりなる。第２ころ３３は、左右方向の真ん中が突出している凸部３３ａと、前記ロッド３１に軸支した軸受部３３ｂ、３３ｂとよりなる。第１ころ３２の左右端部３２ｂの直径と、第２ころ３３の凸部３３ａの直径とが同じ直径に形成されてなる。前記第１ころ３２は、１本のロッド３１に、２個設けられる場合と、３個設けられる場合とがある。前記第２ころ３３は、１本のロッド３１に、３個設けられる。こうして、本体３０，３０の円周上に、２個の第１ころ３２の両隣に、第２ころ３３を介在して３個の第１ころ３２が配される関係にある。
【００２４】
施療者Ｍの土踏まず３と想定される部位のみに対向する位置に、施療者Ｍの凸部７を有するローラ体１０について、次に、より詳細に説明する。
【００２５】
前記ローラ体１０は、図１６乃至図１９に示すように、円筒状をなすと共に離間して配される前記本体３０、３０と、該本体３０、３０の左右間且つ本体３０，３０の円周方向等間隔に回転自在に軸支されてなる六ヶ所の凸部７とより構成されてなる。該凸部７は、前記本体３０，３０間に架設されてなるロッド３１と、該ロッド３１に回転自在に軸支されてなる前記第１，第２ころ３２，３３と、第３，第４ころ３５，３６とよりなる。第３，第４ころ３５，３６は、左右方向の真ん中が凹む凹部３５ａ，３６ａと、同じ直径に形成されてなる左右端部３５ｂ，３６ｂとよりなる。前記第１ころ３２は、１本のロッド３１に、１個のみ設けられる場合と、２個のみ設けられる場合と、第３ころ３５と共に設けられる場合とがある。前記第４ころ３６は、１本のロッド３１に、１個設けられる。
【００２６】
施療者Ｍのかかと４と想定される部位のみに対向する位置に、施療者Ｍの凸部８を有するローラ体１１について、次に、より詳細に説明する。
【００２７】
前記ローラ体１１は、図２０乃至図２３に示すように、円筒状をなすと共に離間して配される前記本体３０、３０と、該本体３０、３０の左右間且つ本体３０，３０の円周方向等間隔に回転自在に軸支されてなる六ヶ所の凸部８とより構成されてなる。該凸部８は、前記本体３０，３０間に架設されてなるロッド３１と、該ロッド３１に回転自在に軸支されてなる前記第１，第２、第３、第５ころ３２，３３、３５、３７とよりなる。第５ころ３７の凸部３７ａの直径は、第２ころ３３の凸部３３ａの直径より大きい。各第２、第３、第５ころ３３、３５、３７の間に、第１ころ３２が配されて凹凸状をなす。第２ころ３３を支持するロッド３１には、第３ころ３５が支持されている。また、第５ころ３７は、１本のロッド３１に２個支持されている。第１ころ３２は、ロッド３１に１個支持されている。第１ころ３２の直径は、第２、第３、第５ころ３３、３５、３７より小さくすることで、かかと４の骨への刺激を減らし、痛みを感じないようにしている。また、両端側の第２、第５ころ３３、３７の外径を大きくすることで、かかと４の側面のマッサージも可能としている。
【００２８】
かかる第１実施例の構成による作用について、次に説明する。
【００２９】
施療者Ｍの足先２の裏側２ａ及び土踏まず３並びにかかと４の３カ所と想定される部位のみに対向する位置に、施療者Ｍの一般的な足裏表面５への圧接力より高い圧接力の生じ得る施療用の凸部６，７、８を有するローラ体９，１０、１１がそれぞれ配設されてなるので、足裏刺激に効果的な部位である足先２の裏側２ａ及び土踏まず３並びにかかと４の３カ所のみに特化して短時間に効率的な刺激をあたえることができる。ローラ体９における凸部６は、輪体形状をなし、土踏まず３に取付けられたローラ体１０の凸部７より小さい外径とし、第１，第２ころ３２，３３など２種類のころの外径を同じにすることで、むらのない均一なマッサージ感を得ることが可能となっている。
【００３０】
最も近い位置に配設されてなる前記ローラ体９、１０同士及び１０，１１同士は、回転方向を互いに相反する方向に回転が可能なので、施療者Ｍの足がローラ体９，１０、１１によって移動させられることがなく、足裏５のマッサージがし易くなる。
【００３１】
ローラ体９，１０，１１に配設されてなる施療用の凸部６，７，８は、前記ローラ体９，１０，１１の外表面に配設され且つローラ体９，１０，１１に対して駆動軸１２，１３，１４により回転自在に軸支されてなるから、施療者Ｍの足裏５との摩擦が著しく減少し、足裏５がローラ体９，１０，１１によって移動させられることがなくなる。つまり、より足裏５のマッサージがし易くなる。また、土踏まず３に対向するローラ体１０の駆動軸１３を他のローラ体９，１１より高い位置に配設したことで、施療者Ｍの土踏まず３に対して、より効果的に刺激を与えることができる。
【００３２】
各駆動軸１２，１３が回転することで揉み基台４５、４６は回転し、揉み基台４５、４６に挿入されたベアリング５４の傾斜角が回転角に従って変化する。このベアリング５４に取付けられた揉み板５２，５３は、揉み基台４５、４６の傾斜角と同様に傾斜する。対向する押さえ板部４７，４８も同様に傾斜するが、相反する方向に傾斜して取付けられているため、対向面が接近離間動作を行い、この間に施療者Ｍの足を挿入することで、挟み揉みすることになる。なお、揉み板５２，５３は、足に沿うように或いは足の甲部を覆うような形状をしているため、接近時には足の甲部を下方に押さえつける動作も行う。
【００３３】
弾性体５０のエアバッグを膨張させることで、揉み施療子１５，１６の接近離間間隔を狭くすることができ、足のサイズにとらわれず、一定の強さで挟み揉みが行える。また、エアバッグの圧力が一定圧を超えた場合、接続されている安全用機械式弁が動作し、過剰圧縮空気を排出することで、施療部への強い刺激を抑制し、エアバッグの耐久性も向上させることとなる。
【実施例２】
【００３４】
図２６は、この発明の第２実施例を示す図である。図２６の符号４０は、ローラ体１０に代わるローラ体であり、前記ローラ体４０の駆動軸１３は、他のローラ体９，１１の駆動軸１２，１４と同一高さにあり且つ施療者Ｍの土踏まず３と想定される部位のみに対向する位置に配されてなる土踏まず施療用のローラ体４０の凸部７の駆動軌跡が施療者Ｍの土踏まず３と想定される部位以外に対向する位置に配されてなる施療用のローラ体９，１１の凸部６，８の足裏施療用駆動軌跡よりも施療部に対してより接近させてなる。また、土踏まず３側の第２、第３，第４ころ３３，３５，３６が、土踏まず３より外側の第１ころ３２より大きな外径とすることで、施療者Ｍの土踏まず３に対して、より効果的に刺激を与えることができる。
【実施例３】
【００３５】
図２７は、この発明の第３実施例を示す図である。図２７の符号４１は、ローラ体１０に代わるローラ体であり、前記ローラ体４１の駆動軸１３は、他のローラ体９，１１の駆動軸１２，１４と同一高さにあり且つ施療者Ｍの土踏まず３と想定される部位のみに対向する位置に配されてなる土踏まず施療用のローラ体４１の断面形状を楕円状にして、ローラ体４１の駆動軌跡が施療者Ｍの土踏まず３と想定される部位以外に対向する位置に配されてなる施療用のローラ体９，１１の凸部６，８の足裏施療用駆動軌跡よりも施療部に対してより接近させてなる。また、土踏まず３側の第２、第３，第４ころ３３，３５，３６が、土踏まず３より外側の第１ころ３２より大きな外径とすることで、施療者Ｍの土踏まず３に対して、より効果的に刺激を与えることができる。
【実施例４】
【００３６】
図２８は、この発明の第４実施例を示す図である。図２８の符号４２は、ローラ体１０に代わるローラ体であり、前記ローラ体４２の駆動軸１３は、他のローラ体９，１１の駆動軸１２，１４と同一高さにあり且つ施療者Ｍの土踏まず３と想定される部位のみに対向する位置に配されてなる土踏まず施療用のローラ体４２の凸部４３を大きくして、直径を大きくして、ローラ体４２の駆動軌跡が施療者Ｍの土踏まず３と想定される部位以外に対向する位置に配されてなる施療用のローラ体９，１１の凸部６，８の足裏施療用駆動軌跡よりも施療部に対してより接近させてなる。また、土踏まず３側の第２、第３，第４ころ３３，３５，３６が、土踏まず３より外側の第１ころ３２より大きな外径とすることで、施療者Ｍの土踏まず３に対して、より効果的に刺激を与えることができる。
【実施例５】
【００３７】
図２９は、この発明の第５実施例を示す図である。図２９の符号４４は、ローラ体１０に代わるローラ体であり、前記ローラ体４４の駆動軸４５は、他のローラ体９，１１の駆動軸１２，１４と同一高さにあり且つ施療者Ｍの土踏まず３と想定される部位のみに対向する位置に配されてなる土踏まず施療用のローラ体４４の断面形状を他のローラ体９，１１と同じ円状にすると共に偏芯支持させて、ローラ体４４の駆動軌跡が施療者Ｍの土踏まず３と想定される部位以外に対向する位置に配されてなる施療用のローラ体９，１１の凸部６，８の足裏施療用駆動軌跡よりも施療部に対してより接近させてなる。また、土踏まず３側の第２、第３，第４ころ３３，３５，３６が、土踏まず３より外側の第１ころ３２より大きな外径とすることで、施療者Ｍの土踏まず３に対して、より効果的に刺激を与えることができる。
【実施例６】
【００３８】
図３０乃至図３３は、この発明の第６実施例を示す図である。図３０乃至図３３の符号６０、６１，６２は、ローラ体９，１０，１１に代わるローラ体であり、前記ローラ体６１の駆動軸１３は、他のローラ体６０，６２の駆動軸１２，１４に対して高い第１実施例と同じ関係にあることで施療者Ｍの土踏まず３と想定される部位のみに対向する位置に配されてなる土踏まず施療用のローラ体６１の凸部６４の駆動軌跡が施療者Ｍの土踏まず３と想定される部位以外に対向する位置に配されてなる施療用のローラ体６０，６２の凸部６３，６５の足裏施療用駆動軌跡よりも施療部に対してより接近させてなる。そして、ローラ体６０，６１，６２の凸部６３，６４，６５が同一の形状の「ころ」よりなることで、施療者Ｍの土踏まず３に対して、効果的に刺激を与えることができる。また、凸部６３，６４，６５をずらすことで、省スペース、小型化が可能となる。
【実施例７】
【００３９】
図３４乃至図３７は、この発明の第７実施例を示す図である。図３４乃至図３７の符号６６，６７，６８は、ローラ体９，１０，１１に代わるローラ体であり、前記ローラ体６７の駆動軸１３は、他のローラ体６６，６８の駆動軸１２，１４に対して高い第１実施例と同じ関係にあることで施療者Ｍの土踏まず３と想定される部位のみに対向する位置に配されてなる土踏まず施療用のローラ体６７の凸部７０の駆動軌跡が施療者Ｍの土踏まず３と想定される部位以外に対向する位置に配されてなる施療用のローラ体６６，６８の凸部６９，７１の足裏施療用駆動軌跡よりも施療部に対してより接近させてなる。そして、ローラ体６６，６７，６８の凸部６９，７０，７１が同一の形状の「ころ」よりなることで、施療者Ｍの土踏まず３に対して、効果的に刺激を与えることができる。また、凸部６９，７０，７１をずらすことで、省スペース、小型化が可能となる。
【図面の簡単な説明】
【００４０】
【図１】この発明の第１実施例に係るマッサージ機を示す斜視図。
【図２】図１の矢視Ａにかかる側面図。
【図３】図２の矢視Ｂにかかる上面図。
【図４】図１の矢視Ｃにかかる正面図。
【図５】図１乃至図４の揉み施療子の正面図。
【図６】図５のＳＴ−ＳＴ線に沿った断面図。
【図７】図５，図６の揉み施療子の分解斜視図。
【図８】図１の駆動装置を示す斜視図。
【図９】図８の矢視Ｄにかかる側面図。
【図１０】図９の矢視Ｅにかかる上面図。
【図１１】図８の矢視Ｆにかかる正面図。
【図１２】図８のローラ体９の斜視図。
【図１３】図１２の矢視Ｇにかかる側面図。
【図１４】図１２の矢視Ｈにかかる上面図。
【図１５】図１２の矢視Ｉにかかる正面図。
【図１６】図８のローラ体１０の斜視図。
【図１７】図１６の矢視Ｊにかかる側面図。
【図１８】図１６の矢視Ｋにかかる上面図。
【図１９】図１６の矢視Ｌにかかる正面図。
【図２０】図８のローラ体１１の斜視図。
【図２１】図２０の矢視Ｍにかかる側面図。
【図２２】図２０の矢視Ｎにかかる上面図。
【図２３】図２０の矢視Ｏにかかる正面図。
【図２４】図８の駆動装置の斜視図。
【図２５】この発明の第１実施例に係るマッサージ機の作用説明図。
【図２６】この発明の第２実施例に係るマッサージ機の作用説明図。
【図２７】この発明の第３実施例に係るマッサージ機を示す斜視図。
【図２８】この発明の第４実施例に係るマッサージ機の作用説明図。
【図２９】この発明の第５実施例に係るマッサージ機の作用説明図。
【図３０】この発明の第６実施例に係るマッサージ機の上面図。
【図３１】図３０のＳＰ−ＳＰ線に沿った断面図。
【図３２】図３０の斜視図。
【図３３】図３０の矢視Ｑにかかる正面図。
【図３４】この発明の第７実施例に係るマッサージ機の上面図。
【図３５】図３４のＳＲ−ＳＲ線に沿った断面図。
【図３６】図３４の斜視図。
【図３７】図３４の矢視Ｓにかかる正面図。
【符号の説明】
【００４１】
１  マッサージ機
２  足先
２ａ  足先の裏側
３  土踏まず
４  かかと
５  足裏
６、７，８、４３、６３，６４，６５，６９，７０，７１  凸部
９，１０，１１、４０，４１，４２、４４、６０，６１，６２，６６，６７，６８  ローラ体
１２，１３，１４、４５  駆動軸
１５，１６  揉み施療子
１７  駆動装置
１８  モータ
１９  回転軸
２０，２１，２２  ヘリカルギア
３０  本体
３１  ロッド
３２  第１ころ
３３  第２ころ
３５  第３ころ
３６  第４ころ
３７  第５ころ
【図１】
2005087310.tif 000003
【図２】
2005087310.tif 000004
【図３】
2005087310.tif 000005
【図４】
2005087310.tif 000006
【図５】
2005087310.tif 000007
【図６】
2005087310.tif 000008
【図７】
2005087310.tif 000009
【図８】
2005087310.tif 000010
【図９】
2005087310.tif 000011
【図１０】
2005087310.tif 000012
【図１１】
2005087310.tif 000013
【図１２】
2005087310.tif 000014
【図１３】
2005087310.tif 000015
【図１４】
2005087310.tif 000016
【図１５】
2005087310.tif 000017
【図１６】
2005087310.tif 000018
【図１７】
2005087310.tif 000019
【図１８】
2005087310.tif 000020
【図１９】
2005087310.tif 000021
【図２０】
2005087310.tif 000022
【図２１】
2005087310.tif 000023
【図２２】
2005087310.tif 000024
【図２３】
2005087310.tif 000025
【図２４】
2005087310.tif 000026
【図２５】
2005087310.tif 000027
【図２６】
2005087310.tif 000028
【図２７】
2005087310.tif 000029
【図２８】
2005087310.tif 000030
【図２９】
2005087310.tif 000031
【図３０】
2005087310.tif 000032
【図３１】
2005087310.tif 000033
【図３２】
2005087310.tif 000034
【図３３】
2005087310.tif 000035
【図３４】
2005087310.tif 000036
【図３５】
2005087310.tif 000037
【図３６】
2005087310.tif 000038
【図３７】
2005087310.tif 000039